(57)【要約】【課題】地震災害などの外的要因によってプラント監視システムからデータが得られなくなった場合、一般公衆他に対する報告責務を達成することができない。【解決手段】プラントの運転データを入力及び処理するプラント監視システム入力部と、前記プラント監視システム入力部で処理された運転データを記録するプラント監視システム記録部とを備えたプラント監視システムと、前記プラント監視システム記録部と同じ運転データを記録するデータ記録システム記録部と、前記プラント監視システムとデータ記録システム記録部とを接続したプラントバスと、を備え、データ記録システム記録部は、前記プラント監視システム記録部より耐震性が高いことを特徴とする。【選択図】図１
2009175068.tif 000002
【特許請求の範囲】
【請求項１】
プラントの運転データを入力及び処理するプラント監視システム入力部と、前記プラント監視システム入力部で処理された運転データを記録するプラント監視システム記録部とを備えたプラント監視システムと、
前記プラント監視システム記録部と同じ運転データを記録するデータ記録システム記録部と、
前記プラント監視システムとデータ記録システム記録部とを接続したプラントバスと、
を備え、
データ記録システム記録部は、前記プラント監視システム記録部より耐震性が高いことを特徴とするプラントデータ記録装置。
【請求項２】
前記プラント監視システム記録部及び前記データ記録システム記録部は、静止型ディスクであることを特徴とする請求項１記載のプラントデータ記録装置。
【請求項３】
前記プラント監視システム記録部及び前記データ記録システム記録部は、免震装置を備えたことを特徴とする請求項１または請求項２に記載のプラントデータ記録装置。
【請求項４】
プラント監視システム及びデータ記録システムは、無停電電源装置から電源が供給され、無停電電源装置の故障時には非常時電源から電源が供給されることを特徴とする請求項１乃至請求項３のいずれかに記載のプラントデータ記録装置。
【請求項５】
プラント監視システムにプラントの運転データを記録し、
前記プラント監視システムに記録された運転データと同じデータを、前記プラント監視システムより耐震性の高いデータ記録システム記録部に記録することを特徴とするプラントデータ記録方法。
【請求項６】
請求項１乃至請求項４のいずれかに記載のプラントデータ記録装置を備えたことを特徴とする原子力プラント。 
【発明の詳細な説明】
【技術分野】
【０００１】
本発明は、プラントの運転データを記録するプラントデータ記録装置およびその方法並びに原子力プラントに関する。
【背景技術】
【０００２】
従来の原子力プラントではプラント監視システムに運転データが記録されている。記録された運転データのうち、事故原因の究明に関わる記録、及び運転履歴の証明に関わる記録は、計測制御データ入力部の入力信号処理部で定周期あるいは割り込み処理でデータを収集し、収集した時刻を付加してデータ記録部に記録し、表示装置、印字装置、外部記録媒体を通して発電所員に提供されている（例えば、特許文献１参照）。
【０００３】
この運転データを記録するプラント監視システムにより提供されるデータは、例えば、プラント運転中に、原子炉スクラム等のプラント設備に不具合が生じたシチュエーションにおいて、不具合発生時刻を基点にした事象発生前と事象発生後のデータであり、所員はこのデータを時系列に事象分析し、不具合の要因と対策を検討した後、不具合箇所の改修作業に着手することになる。また、原子力プラントは、放射性物質を取扱うため、プラント運転で実施した設備操作の履歴、主要なプラントパラメータの履歴管理、及び系統や機器の故障履歴を時刻情報と共に記録し、必要に応じて一般公衆他に対する報告責務に対応する。
【特許文献１】特開2007-48141公報
【発明の開示】
【発明が解決しようとする課題】
【０００４】
プラント監視システムに記録される運転データは機械式の記憶媒体に記憶される。また運転データは、多系統で構成される原子力プラントの特殊性から、各系統設備に散在した運転データを一元化管理するプラント監視システムが存在するが、このようなプラント監視システムは原子力プラントにおいて、所員の負担軽減を目的とした運転補助設備に位置付けられるため、地震災害などの稀に発生する外的要因に対して脆弱であり、外的要因によってプラント監視システムからではデータが得られなくなる可能性がある。
【０００５】
この場合、所員が人海戦術で発電所内に散在する各系統設備を全て調査し、確認できた結果をもとに、異常時の原因や状況を判断することができたとしても、ここで得られた結果は、一般公衆他に対する報告責務を満足させるには十分な根拠ではなく、公式記録としての役割を果たすことができないという課題が生じる。
【０００６】
本発明は、上述した課題を解決するために、一般公衆他に対する報告責務を達成することができるデータ記録装置およびその方法を提供することを目的とする。
【課題を解決するための手段】
【０００７】
本発明に係るデータ記録装置およびその方法並びに原子力プラントは、プラントの運転データを入力及び処理するプラント監視システム入力部と、前記プラント監視システム入力部で処理された運転データを記録するプラント監視システム記録部とを備えたプラント監視システムと、前記プラント監視システム記録部と同じ運転データを記録するデータ記録システム記録部と、前記プラント監視システムとデータ記録システム記録部とを接続したプラントバスと、を備え、データ記録システム記録部は、前記プラント監視システム記録部より耐震性が高いことを特徴とするものである。
【発明の効果】
【０００８】
本発明によれば、一般公衆他に対する報告責務を達成することができる。
【発明を実施するための最良の形態】
【０００９】
以下、本発明に係るデータ記録装置およびその方法並びに原子力プラントの実施形態について、図面を参照して説明する。
【００１０】
図１は本発明に係るデータ記録装置およびその方法並びに原子力プラントの実施形態を示す図である。
【００１１】
原子力プラント10は、ユニット100(i=1〜x)と、所員が執務する事務所200を備えている。
【００１２】
各ユニット100(i)は、プラント監視システム1を備え、プラント監視システム1は、原子力プラント内に散在する各系統設備から運転データに時刻情報を付加して入力、処理するためのプラント監視システム入力部1aと、プラント監視システム入力部1aで生成された運転データを記録するためのプラント監視システム記録部1bを備えている。
【００１３】
事務所200は、各ユニット100(i)より耐震性を有する施設であり、データ記録システム2を備えている。データ記録システム2は、プラント監視システム1のプラント監視システム記録部1bと同じデータを記録するためのデータ記録システム記録部2aを備えている。また、各ユニット100(i)のプラント監視システム1と事務所200のデータ記録システム2とは、プラントバス11で接続されており、データ記録システム2はプラントバス11によりプラント監視システム1に記録されているデータを得ることができる。また、プラント監視システム記録部1b及びデータ記録システム記録部2aには、駆動機構のない静止型ディスクを採用し、免震装置が取り付けられる。
【００１４】
更に、プラント監視システム1及びデータ記録システム2は、無停電電源装置から電源が受電され、無停電電源装置の故障では非常時電源（バッテリ）からの電源によって機能損失が回避される。
【００１５】
従来のプラントデータの記録は、記録システムが動作できる環境であることが前提であり、この前提の中で事故原因の究明や運転の実績の証明に使用するためのデータを提供するものであったが、本実施形態に係るデータ記録装置およびその方法並びに原子力プラントにおいては、各ユニット100(i)より耐震性を有する施設にデータを記録するデータ記録システム記録部2aを設け、プラント監視システム記録部1b及びデータ記録システム記録部2aに駆動機構のない静止型ディスクを採用し、さらに免震装置を取り付けることで記録部を保護することによって、地震災害などの稀に発生する外的要因に対しても一般公衆他に対する報告責務を達成できる運転データを提供することができる。
【００１６】
なお、以上の説明は単なる例示であり、本発明は上述の各実施の形態に限定されず、様々な形態で実施することができる。
【図面の簡単な説明】
【００１７】
【図１】本発明におけるデータ記録装置およびその方法並びに原子力プラントの実施形態を示す図。
【符号の説明】
【００１８】
1    プラント監視システム
1a   プラント監視システム入力部
1b   プラント監視システム記録部
2    データ記録システム
2a   データ記録システム記録部
10   原子力プラント
11   プラントバス
100  ユニット
200  事務所 
【図１】
2009175068.tif 000003